(57)【要約】【課題】垂直同期信号が一定でない場合でも、傾きが一定あるいは傾きのばらつきが少ない垂直のこぎり波を生成できる垂直のこぎり波振幅調整装置を提供する。【解決手段】それぞれ第１、第２垂直同期パルスに基づく第１、第２信号を順次出力する垂直カウントダウン回路１と、垂直カウントダウン回路１から出力された前記第１信号と、垂直カウントダウン回路１から前記第１信号の次に出力された前記第２信号とを比較し、短い方の信号を出力する垂直同期パルス周期比較回路２と、前記短い方の信号に応じて、タイミングパルスを発生するタイミングパルス発生回路４と、前記タイミングパルスに応じて、自動利得制御をかけるための利得制御信号を生成する自動利得制御回路５とから構成される。【選択図】      図１
2005051719.tif 000002
【特許請求の範囲】
【請求項１】
それぞれ第１、第２垂直同期パルスに基づく第１、第２信号を順次出力するカウント回路と、
前記カウント回路から出力された前記第１信号と、前記カウント回路から前記第１信号の次に出力された前記第２信号とを比較し、短い方の信号を出力する比較回路と、
前記短い方の信号に応じて、タイミングパルスを発生するタイミング発生回路と、
前記タイミングパルスに応じて、自動利得制御をかけるための利得制御信号を生成する利得制御回路と、
を具備することを特徴とする垂直のこぎり波振幅調整回路。
【請求項２】
前記カウント回路から出力された前記第１信号を保持し、前記第１信号を前記比較回路に出力する保持回路をさらに具備することを特徴とする請求項１に記載の垂直のこぎり波振幅調整回路。
【請求項３】
前記利得制御信号に応じて、垂直のこぎり波の傾きを設定するのこぎり波発生回路をさらに具備することを特徴とする請求項１または２に記載の垂直のこぎり波振幅調整回路。
【請求項４】
前記のこぎり波発生回路は、前記第２信号に応じて、前記垂直のこぎり波の周期を設定することを特徴とする請求項３に記載の垂直のこぎり波振幅調整回路。
【請求項５】
前記カウント回路から出力された前記第１、第２信号が所定の設定範囲内に入っているか否かを検出する検出回路をさらに具備し、
前記検出回路は、前記第１信号が所定の設定範囲内に入っているとき、前記第１信号を前記比較回路と前記保持回路に出力し、前記第１信号が所定の設定範囲内に入っていないとき、前記第１信号を前記タイミング発生回路に出力し、
前記第２信号が所定の設定範囲内に入っているとき、前記第２信号を前記比較回路と前記保持回路に出力し、前記第２信号が所定の設定範囲内に入っていないとき、前記第２信号を前記タイミング発生回路に出力することを特徴とする請求項２に記載の垂直のこぎり波振幅調整回路。
【請求項６】
前記のこぎり波発生回路は、前記第１信号が所定の設定範囲内に入っていないとき、前記第１信号に応じて前記垂直のこぎり波の周期を設定し、
前記第２信号が所定の設定範囲内に入っていないとき、前記第２信号に応じて前記垂直のこぎり波の周期を設定することを特徴とする請求項５に記載の垂直のこぎり波振幅調整回路。
【請求項７】
前記第１、第２信号は、前記第１、第２垂直同期パルスの期間を示す周期信号であることを特徴とする請求項１乃至６のいずれか１つに記載の垂直のこぎり波振幅調整回路。
【請求項８】
前記第１、第２信号は、前記第１、第２垂直同期パルスの期間を示すカウント値信号であることを特徴とする請求項１乃至６のいずれか１つに記載の垂直のこぎり波振幅調整回路。
【請求項９】
予め設定された初期値信号を保持する保持回路と、
第１垂直同期パルスに基づく第１信号を出力するカウント回路と、
前記保持回路に保持された前記初期値信号と、前記カウント回路から出力された前記第１信号とを比較し、短い方の信号を出力する比較回路と、
前記比較回路からの出力信号に応じて、タイミングパルスを発生するタイミング発生回路と、
前記タイミングパルスに応じて、自動利得制御をかけるための利得制御信号を生成する利得制御回路と、
を具備することを特徴とする垂直のこぎり波振幅調整回路。
【請求項１０】
前記保持回路は、前記比較回路の比較結果に基づき出力された出力信号を保持し、前記比較回路は前記保持回路に保持された前記出力信号と、前記カウント回路から前記第１信号の次に出力された第２垂直同期パルスに基づく第２信号とを比較し、短い方の信号を前記比較回路に出力することを特徴とする請求項９に記載の垂直のこぎり波振幅調整回路。
【請求項１１】
前記利得制御回路により生成された前記利得制御信号に応じて、垂直のこぎり波の傾きを設定するのこぎり波発生回路をさらに具備することを特徴とする請求項９に記載の垂直のこぎり波振幅調整回路。
【請求項１２】
前記カウント回路から出力された前記第１信号が所定の設定範囲内に入っているか否かを検出する検出回路をさらに具備し、
前記検出回路は、前記第１信号が所定の設定範囲内に入っているとき、前記第１信号を前記比較回路に出力し、前記第１信号が所定の設定範囲内に入っていないとき、前記第１信号を前記タイミング発生回路に出力することを特徴とする請求項９に記載の垂直のこぎり波振幅調整回路。
【請求項１３】
前記のこぎり波発生回路は、前記カウント回路から出力された前記第１信号に応じて、前記垂直のこぎり波の周期を設定することを特徴とする請求項１１に記載の垂直のこぎり波振幅調整回路。
【請求項１４】
前記カウント回路は、垂直同期信号を受け取り、前記垂直同期信号を波形整形した前記第１、第２信号を出力することを特徴とする請求項１、２、３、４、５、６、１０のいずれか１つに記載の垂直のこぎり波振幅調整回路。
【発明の詳細な説明】
【技術分野】
【０００１】
この発明は、垂直のこぎり波の振幅調整を行う装置に関するものであり、特にテレビ信号の処理に使用される。
【背景技術】
【０００２】
従来より、垂直のこぎり波振幅調整装置では、入力される垂直同期信号で常に垂直自動利得制御（ＶＡＧＣ）をかけて、垂直のこぎり波を生成している。図１１は、従来の垂直のこぎり波振幅調整装置の構成を示すブロック図である。
【０００３】
図１１に示すように、垂直同期信号は垂直カウントダウン回路１０１に入力され、垂直同期パルスが出力される。タイミングパルス発生回路１０２により、その垂直同期パルスの周期で垂直自動利得制御をかける、ＡＧＣタイミングパルスを発生させる。発生されたＡＧＣタイミングパルスは、自動利得制御（ＡＧＣ）回路１０３に入力され、自動利得制御（ＡＧＣ）回路１０３により垂直自動利得制御を示す制御信号が出力される。垂直のこぎり波発生回路１０４は、前記制御信号に応じて垂直のこぎり波を生成する（例えば、特許文献１参照）。
【特許文献１】特開平１１−１９１７２５号公報
【発明の開示】
【発明が解決しようとする課題】
【０００４】
前述した方式では、図１２に示すように、垂直同期パルスの周期が常に一定であれば、ＡＧＣタイミングパルスも一定周期のパルスを発生し、垂直のこぎり波の振幅が破線で示される一定の電位に制御される。これにより、垂直のこぎり波の傾きも一定になり、１つの画像として見ることができる。
【０００５】
前記ＡＧＣタイミングパルスは、垂直同期パルスの周期が一定の時も、一定でないときも、入力された垂直同期信号（垂直同期パルス）に同期して発生する。図５に示すように、垂直同期パルスの周期が短い場合と長い場合が交互になるような場合、垂直同期パルスの周期が短いときは、破線にて示した電位になるように振幅を上げようとする制御が働く。このため、垂直同期パルスの周期が長いときに振幅をさらに上げてしまうので、垂直のこぎり波の傾きが大きくなる。
【０００６】
逆に、垂直同期パルスの周期が長いときは、破線にて示した電位になるように振幅を下げようとする制御が働く。このため、垂直同期パルスの周期が短いときに振幅をさらに下げてしまうので、垂直のこぎり波の傾きが小さくなる。このような動作を繰り返すと、垂直のこぎり波の傾きが大きく変化するため、フィールドごとに画面が垂直方向に伸びたり縮んだりすることを繰り返し、１つの画像として見ることができなくなる。
【０００７】
そこでこの発明は、前記課題に鑑みてなされたものであり、垂直同期信号が一定でない場合でも、傾きが一定あるいは傾きのばらつきが少ない垂直のこぎり波を生成できる垂直のこぎり波振幅調整装置を提供することを目的とする。
【課題を解決するための手段】
【０００８】
前記目的を達成するために、この発明の一実施形態の垂直のこぎり波振幅調整装置は、それぞれ第１、第２垂直同期パルスに基づく第１、第２信号を順次出力するカウント回路と、前記カウント回路から出力された前記第１信号と、前記カウント回路から前記第１信号の次に出力された前記第２信号とを比較し、短い方の信号を出力する比較回路と、前記短い方の信号に応じて、タイミングパルスを発生するタイミング発生回路と、前記タイミングパルスに応じて、自動利得制御をかけるための利得制御信号を生成する利得制御回路とを具備することを特徴とする。
【０００９】
また、前記目的を達成するために、この発明の他の実施形態の垂直のこぎり波振幅調整装置は、予め設定された初期値信号を保持する保持回路と、第１垂直同期パルスに基づく第１信号を出力するカウント回路と、前記保持回路に保持された前記初期値信号と、前記カウント回路から出力された前記第１信号とを比較し、短い方の信号を出力する比較回路と、前記比較回路からの出力信号に応じて、タイミングパルスを発生するタイミング発生回路と、前記タイミングパルスに応じて、自動利得制御をかけるための利得制御信号を生成する利得制御回路とを具備することを特徴とする。
【発明の効果】
【００１０】
以上述べたようにこの発明によれば、垂直同期信号が一定でない場合でも、傾きが一定あるいは傾きのばらつきが少ない垂直のこぎり波を生成できる垂直のこぎり波振幅調整装置を提供することが可能である。
【発明を実施するための最良の形態】
【００１１】
以下、図面を参照してこの発明の実施形態について説明する。説明に際し、全図にわたり、共通する部分には共通する参照符号を付す。
【００１２】
［第１の実施形態］
まず、この発明の第１の実施形態として、垂直のこぎり波振幅調整装置の概要について説明する。
【００１３】
図１は、第１の実施形態の垂直のこぎり波振幅調整装置の概要を示すブロック図である。テレビ信号の１つである垂直同期信号が垂直カウントダウン回路１に入力される。すると、垂直カウントダウン回路１は、垂直同期信号を波形整形した垂直同期パルスとこの垂直同期パルスの周期をカウントした値（以下、垂直同期パルス周期と記す）を、垂直同期パルス周期保持及び比較回路２と垂直のこぎり波発生回路３にそれぞれ出力する。垂直同期パルス周期保持及び比較回路２は、垂直カウントダウン回路１から前回出力され保持した第１垂直同期パルス周期と、垂直カウントダウン回路１から今回出力された第２垂直同期パルス周期とを比較し、短い方の垂直同期パルス周期を、タイミングパルス発生回路４に出力する。前述した前回出力され保持した第１垂直同期パルスは、前記今回出力された第２垂直同期パルスの１つ前に、垂直カウントダウン回路１から出力された垂直同期パルスを指す。
【００１４】
前記タイミングパルス発生回路４は、前記短い方の垂直同期パルス周期に応じて、ＡＧＣタイミングパルスを発生する。このＡＧＣタイミングパルスはＡＧＣ回路５に入力される。ＡＧＣ回路５は、ＡＧＣタイミングパルスに応じて、前記短い方の垂直同期パルス周期で垂直自動利得制御（ＶＡＧＣ）をかけるための利得制御信号を垂直のこぎり波発生回路３に出力する。前記垂直自動利得制御は、垂直のこぎり波発生回路３にて生成される垂直のこぎり波の傾きを調整するための利得制御をいう。垂直のこぎり波発生回路３は、利得制御信号に応じて垂直のこぎり波の傾きを設定し出力する。垂直のこぎり波発生回路３は、また垂直カウントダウン回路１から出力された第２垂直同期パルス周期に応じて、垂直のこぎり波の周期を設定する。すなわち、垂直のこぎり波発生回路３は、前記利得制御信号と第２垂直同期パルス周期に応じて、垂直のこぎり波の振幅を調整し出力する。
【００１５】
図２は、前記第１の実施形態の垂直のこぎり波振幅調整装置の動作を示すタイミングチャートであり、交互に異なる周期Ａ、Ｂを持つ垂直同期パルスが入力される場合を示している。このような場合であっても、ＡＧＣタイミングパルスが、短い方の垂直同期パルス周期に合わせて生成されるため、垂直のこぎり波の傾きを一定に設定することができる。
【００１６】
以上説明したようにこの第１の実施形態では、前回（１つ前）の垂直同期パルス周期と今回の垂直同期パルス周期とを比較し、短い方の垂直同期パルス周期を垂直自動利得制御信号の生成に用いている。これにより、垂直同期信号（垂直同期パルスの周期）が一定でない場合でも、傾きが一定な垂直のこぎり波を生成することができる。
【００１７】
［第２の実施形態］
次に、前記第１の実施形態をより具体化した、この発明の第２の実施形態の垂直のこぎり波振幅調整装置について説明する。
【００１８】
図３は、第２の実施形態の垂直のこぎり波振幅調整装置の構成を示すブロック図である。図３に示すように、垂直カウントダウン回路１１の出力部は、垂直同期パルス周期保持回路１２の入力部、垂直同期パルス周期比較回路１３の第１入力部、垂直のこぎり波発生回路１４の第１入力部にそれぞれ接続されている。垂直同期パルス周期保持回路１２の出力部は、垂直同期パルス周期比較回路１３の第２入力部に接続されている。さらに、垂直同期パルス周期比較回路１３の出力部は、タイミングパルス発生回路１５の入力部に接続される。
【００１９】
前記タイミングパルス発生回路１５の出力部は、自動利得制御（Automatic Gain Control：以下、ＡＧＣと記す）回路１６の第１入力部に接続され、ＡＧＣ回路１６の出力部は垂直のこぎり波発生回路１４の第２入力部に接続されている。さらに、垂直のこぎり波発生回路１４の出力部は、ＡＧＣ回路１６の第２入力部に接続されると共に、前記出力部からは垂直のこぎり波が出力される。
【００２０】
次に、前記第２の実施形態の垂直のこぎり波振幅調整装置の動作について説明する。まず、テレビ信号の１つである垂直同期信号が垂直カウントダウン回路１１に入力される。すると、垂直カウントダウン回路１１は、垂直同期信号を波形整形した垂直同期パルスとこの垂直同期パルスの周期を、垂直同期パルス周期保持回路１２、垂直同期パルス周期比較回路１３、及び垂直のこぎり波発生回路１４にそれぞれ出力する。垂直同期パルス周期保持回路１２は、動作開始時には垂直同期パルス周期の初期値、すなわち予め設定された初期の周期を保持し、その後は垂直カウントダウン回路１１から出力された垂直同期パルス周期を保持する。
【００２１】
前記垂直同期パルス周期比較回路１３は、動作開始時には垂直同期パルス周期保持回路１２に保持されていた垂直同期パルス周期の初期値と、垂直カウントダウン回路１１から出力された今回の垂直同期パルス周期とを比較して、短い方の垂直同期パルス周期を出力する。動作開始時の後には、垂直同期パルス周期保持回路１２に保持されていた前回の垂直同期パルス周期と、垂直カウントダウン回路１１から出力された今回の垂直同期パルス周期とを比較して、短い方の垂直同期パルス周期を出力する。
【００２２】
前記垂直カウントダウン回路１１から出力された今回の垂直同期パルス周期は、垂直カウントダウン回路１１から出力される次回の垂直同期パルス周期と比較するために、垂直同期パルス周期保持回路１２に保持される。そして、垂直同期パルス周期比較回路１３は、順次、垂直同期パルス周期保持回路１２に保持されていた垂直同期パルス周期と、垂直カウントダウン回路１１から出力された垂直同期パルス周期とを比較して、短い方の垂直同期パルス周期を出力する。
【００２３】
前記垂直同期パルス周期比較回路１３から出力された、短い方の垂直同期パルス周期は、タイミングパルス発生回路１５に入力される。タイミングパルス発生回路１５は、入力された短い方の垂直同期パルス周期に応じて、ＡＧＣタイミングパルスを発生する。このＡＧＣタイミングパルスはＡＧＣ回路１６に入力される。ＡＧＣ回路１６は、ＡＧＣタイミングパルスに応じて、前記短い方の垂直同期パルス周期で垂直自動利得制御をかけるための利得制御信号を出力する。この利得制御信号は、垂直のこぎり波発生回路１４に入力される。前記垂直自動利得制御は、垂直のこぎり波発生回路１４にて生成される垂直のこぎり波の傾きを調整するための利得制御をいう。
【００２４】
前記垂直のこぎり波発生回路１４は、利得制御信号と垂直カウントダウン回路１１から出力された今回の垂直同期パルス周期に応じて、垂直のこぎり波を生成し出力する。このとき、垂直のこぎり波の傾きは前記利得制御信号によって設定され、垂直のこぎり波の周期は前記今回の垂直同期パルス周期によって設定される。すなわち、垂直のこぎり波発生回路１４は、前記利得制御信号と今回の垂直同期パルス周期に応じて、垂直のこぎり波の振幅を調整し出力する。
【００２５】
ここで、垂直カウントダウン回路１１に入力される（２ｎ−１）回目と２ｎ回目（ｎはｎ≧１の整数）の垂直同期信号を波形整形した垂直同期パルス周期が同じ場合はもとより異なる場合でも、垂直同期パルス周期比較回路１３から出力される前記短い方の垂直同期パルス周期は一定あるいはばらつきの少ないものとなる。これにより、前記短い方の垂直同期パルス周期に応じて、タイミングパルス発生回路１５により生成されるＡＧＣタイミングパルスも一定あるいはばらつきの少ないものとなる。したがって、ＡＧＣタイミングパルスに応じて、ＡＧＣ回路１６により生成される利得制御信号も一定あるいはばらつきの少ないものとなるため、垂直のこぎり波発生回路１４により生成される垂直のこぎり波の傾きも一定あるいはばらつきの少ないものとなる。
【００２６】
図４は、前記第２の実施形態の垂直のこぎり波振幅調整装置の動作を示すタイミングチャートであり、異なる周期Ａ、Ｂ、Ｃ、Ｄ、Ｅ、Ｆを持つ垂直同期パルスが入力される場合を示している。このような場合であっても、１つ前と現在の垂直同期パルス周期が比較され、短い方の垂直同期パルス周期が選択される。そして、選択された短い方の垂直同期パルス周期に合わせてＡＧＣタイミングパルス、利得制御信号が生成されるため、垂直のこぎり波の傾きを、一定あるいはばらつきの少ない状態に制御することができる。
【００２７】
また、図３に示した装置では、毎回、１つ前と現在の垂直同期パルス周期を比較することにより、垂直走査周波数が、６０Ｈｚ→５０Ｈｚ、５０Ｈｚ→６０Ｈｚのように切り替わっても、表示画像に問題を生じることなく追従することができる。
【００２８】
以上説明したようにこの第２の実施形態では、毎回すなわち垂直同期パルスが入力されるごとに、前回の垂直同期パルス周期と今回の垂直同期パルス周期とを比較して求めた短い方の垂直同期パルス周期を、垂直のこぎり波の傾きを設定する自動利得制御の生成に用いている。これにより、垂直同期信号が一定でなく異なる垂直同期パルスが順次入力されるような場合でも、垂直のこぎり波の傾きのばらつきを小さく抑制することができる。
【００２９】
［第３の実施形態］
次に、前記第１の実施形態をより具体化した、この発明の第３の実施形態の垂直のこぎり波振幅調整装置について説明する。
【００３０】
図５は、第３の実施形態の垂直のこぎり波振幅調整装置の構成を示すブロック図である。図５に示すように、垂直カウントダウン回路１１の出力部は、垂直同期パルス周期比較回路１３の第１入力部と垂直のこぎり波発生回路１４の第１入力部にそれぞれ接続されている。垂直同期パルス周期比較回路１３の出力部は、垂直同期パルス周期保持回路１２の入力部に接続されている。さらに、垂直同期パルス周期保持回路１２の出力部は、垂直同期パルス周期比較回路１３の第２入力部とタイミングパルス発生回路１５の入力部にそれぞれ接続される。
【００３１】
前記タイミングパルス発生回路１５の出力部は、ＡＧＣ回路１６の第１入力部に接続され、ＡＧＣ回路１６の出力部は垂直のこぎり波発生回路１４の第２入力部に接続されている。さらに、垂直のこぎり波発生回路１４の出力部は、ＡＧＣ回路１６の第２入力部に接続されると共に、前記出力部からは垂直のこぎり波が出力される。
【００３２】
次に、前記第３の実施形態の垂直のこぎり波振幅調整装置の動作について説明する。まず、テレビ信号の１つである垂直同期信号が垂直カウントダウン回路１１に入力される。すると、垂直カウントダウン回路１１は、垂直同期信号を波形整形した垂直同期パルスとこの垂直同期パルスの周期を、垂直同期パルス周期比較回路１３と垂直のこぎり波発生回路１４にそれぞれ出力する。垂直同期パルス周期保持回路１２は、動作開始時には垂直同期パルス周期の初期値、すなわち予め設定された初期の周期を保持し、その後は垂直同期パルス周期比較回路１３から出力された垂直同期パルス周期を保持する。
【００３３】
前記垂直同期パルス周期比較回路１３は、動作開始時には垂直同期パルス周期保持回路１２に保持されていた垂直同期パルス周期の初期値と、垂直カウントダウン回路１１から出力された今回の垂直同期パルス周期とを比較して、短い方の垂直同期パルス周期を出力する。動作開始時の後には、垂直同期パルス周期保持回路１２に保持されていた前記短い方の垂直同期パルス周期と、垂直カウントダウン回路１１から出力された今回の垂直同期パルス周期とを比較して、短い方の垂直同期パルス周期を出力する。  
前記垂直同期パルス周期比較回路１３から出力された、前記短い方の垂直同期パルス周期は、垂直カウントダウン回路１１から出力される次回の垂直同期パルス周期と比較するために、垂直同期パルス周期保持回路１２に保持される。そして、垂直同期パルス周期比較回路１３は、順次、垂直同期パルス周期保持回路１２に保持されていた前記短い方の垂直同期パルス周期と、垂直カウントダウン回路１１から出力された垂直同期パルス周期とを比較して、短い方の垂直同期パルス周期を出力する。
【００３４】
前記垂直同期パルス周期保持回路１２から出力された、短い方の垂直同期パルス周期は、タイミングパルス発生回路１５に入力される。タイミングパルス発生回路１５は、入力された短い方の垂直同期パルス周期に応じて、ＡＧＣタイミングパルスを発生する。このＡＧＣタイミングパルスはＡＧＣ回路１６に入力される。ＡＧＣ回路１６は、ＡＧＣタイミングパルスに応じて、前記短い方の垂直同期パルス周期で垂直自動利得制御をかけるための利得制御信号を垂直のこぎり波発生回路１４に出力する。この利得制御信号は、垂直のこぎり波発生回路１４に入力される。前記垂直自動利得制御は、垂直のこぎり波発生回路１４にて生成される垂直のこぎり波の傾きを調整するための利得制御をいう。
【００３５】
前記垂直のこぎり波発生回路１４は、利得制御信号と垂直カウントダウン回路１１から出力された今回の垂直同期パルス周期に応じて、垂直のこぎり波を生成し出力する。このとき、垂直のこぎり波の傾きは前記利得制御信号によって設定され、垂直のこぎり波の周期は前記今回の垂直同期パルス周期によって設定される。すなわち、垂直のこぎり波発生回路１４は、前記利得制御信号と今回の垂直同期パルス周期に応じて、垂直のこぎり波の振幅を調整し出力する。
【００３６】
ここで、垂直カウントダウン回路１１に入力される（２ｎ−１）回目と２ｎ回目（ｎはｎ≧１の整数）の垂直同期信号を波形整形した垂直同期パルス周期が同じ場合はもとより異なる場合でも、垂直同期パルス周期比較回路１３から出力される前記短い方の垂直同期パルス周期は、比較時点までで最も短い周期となり、一定あるいはばらつきの少ないものとなる。これにより、前記短い方の垂直同期パルス周期に応じて、タイミングパルス発生回路１５により生成されるＡＧＣタイミングパルスも一定あるいはばらつきの少ないものとなる。したがって、ＡＧＣタイミングパルスに応じて、ＡＧＣ回路１６により生成される利得制御信号も一定あるいはばらつきの少ないものとなるため、垂直のこぎり波発生回路１４により生成される垂直のこぎり波の傾きも一定あるいはばらつきの少ないものとなる。
【００３７】
図６は、前記第３の実施形態の垂直のこぎり波振幅調整装置の動作を示すタイミングチャートであり、異なる周期Ａ、Ｂ、Ｃ、Ｄ、Ｅ、Ｆを持つ垂直同期パルス周期が入力される場合を示している。垂直同期パルス周期Ａは垂直同期パルス周期ＢまたはＣ、Ｄより周期が短いため、垂直同期パルス周期Ａ〜Ｄまでは垂直同期パルス周期Ａに合わせてＡＧＣタイミングパルス、利得制御信号が生成される。このため、垂直同期パルス周期Ａ〜Ｄにおける垂直のこぎり波の傾きは、垂直同期パルス周期Ａに基づいて生成された自動利得制御により設定され、一定となる。
【００３８】
また、垂直同期パルス周期Ｅは垂直同期パルス周期Ａより周期が短く、さらに垂直同期パルス周期Ｅは垂直同期パルス周期Ｆより周期が短いため、垂直同期パルス周期Ｅ、Ｆでは垂直同期パルス周期Ｅに合わせてＡＧＣタイミングパルス、利得制御信号が生成される。このため、垂直同期パルス周期Ｅ、Ｆにおける垂直のこぎり波の傾きは、垂直同期パルス周期Ｅに基づいて生成された自動利得制御により設定され、一定となる。
【００３９】
図６に示すような場合でも、前回までで最も短い方の垂直同期パルス周期と今回の垂直同期パルス周期が比較され、短い方の垂直同期パルス周期が選択される。そして、選択された短い方の垂直同期パルス周期に合わせてＡＧＣタイミングパルス、利得制御信号が生成されるため、垂直のこぎり波の傾きを、一定あるいはばらつきの少ない状態に制御することができる。
【００４０】
また、図５に示した装置では、前回までで最も周期の短い垂直同期パルス周期と今回の垂直同期パルス周期とを比較することにより、垂直走査周波数が、６０Ｈｚ→５０Ｈｚ、５０Ｈｚ→６０Ｈｚのように切り替わっても、表示画像に問題を生じることなく追従することができる。
【００４１】
以上説明したようにこの第３の実施形態では、毎回すなわち垂直同期パルスが入力されるごとに、前回までで最も短い垂直同期パルス周期と今回の垂直同期パルス周期とを比較して求めた短い方の垂直同期パルス周期を、垂直のこぎり波の傾きを設定する自動利得制御の生成に用いている。これにより、垂直同期信号が一定でなく異なる垂直同期パルスが順次入力されるような場合でも、垂直のこぎり波の傾きのばらつきを小さく抑制することができる。
【００４２】
［第４の実施形態］
次に、この発明の第４の実施形態の垂直のこぎり波振幅調整装置について説明する。この第４の実施形態は、図３に示した第２の実施形態において、垂直カウントダウン回路１１と垂直同期パルス周期保持回路１２との間に、設定範囲検出回路１７を追加したものである。前記第１の実施形態における構成と同様な部分には同じ符号を付してその説明は省略し、以下に、異なる構成部分のみを説明する。
【００４３】
図７は、第４の実施形態の垂直のこぎり波振幅調整装置の構成を示すブロック図である。図７に示すように、垂直カウントダウン回路１１の出力部は、設定範囲検出回路１７の入力部と垂直のこぎり波発生回路１４の第１入力部にそれぞれ接続されている。設定範囲検出回路１７の第１出力部は、垂直同期パルス周期保持回路１２の入力部と垂直同期パルス周期比較回路１３の第１入力部にそれぞれ接続されている。さらに、設定範囲検出回路１７の第２出力部は、タイミングパルス発生回路１５に接続されている。その他の接続は、前記第２の実施形態と同様である。
【００４４】
次に、前記第４の実施形態の垂直のこぎり波振幅調整装置の動作について説明する。まず、テレビ信号の１つである垂直同期信号が垂直カウントダウン回路１１に入力される。すると、垂直カウントダウン回路１１は、垂直同期信号を波形整形した垂直同期パルスとこの垂直同期パルスの周期を、設定範囲検出回路１７と垂直のこぎり波発生回路１４にそれぞれ出力する。設定範囲検出回路１７は、入力された垂直同期パルス周期が所定の設定範囲内に入っているか、あるいは外れているかを検出する。
【００４５】
ここで、前記設定範囲検出回路１７は、垂直同期パルス周期が所定の設定範囲内に入っている場合には、垂直同期パルス周期を、垂直同期パルス周期保持回路１２と垂直同期パルス周期比較回路１３にそれぞれ出力する。垂直同期パルス周期比較回路１３は、垂直同期パルス周期保持回路１２に保持されていた前回の垂直同期パルス周期（または初期値）と、設定範囲検出回路１７から出力された今回の垂直同期パルス周期とを比較して、短い方の垂直同期パルス周期をタイミングパルス発生回路１５に出力する。タイミングパルス発生回路１５は、入力された短い方の垂直同期パルス周期に応じて、ＡＧＣタイミングパルスを発生する。その後の動作は、前述した第２の実施形態と同様である。
【００４６】
一方、垂直同期パルス周期が所定の設定範囲内から外れている場合は、垂直同期パルス周期をタイミングパルス発生回路１５に出力する。タイミングパルス発生回路１５は、入力された垂直同期パルス周期に応じて、ＡＧＣタイミングパルスを発生する。その後の動作は、前述した第２の実施形態と同様である。
【００４７】
前記構成を有する装置では、垂直カウントダウン回路１１に入力される垂直同期信号を波形整形した垂直同期パルス周期が、所定の設定範囲内に入っている場合には、垂直同期パルス周期比較回路１３から出力される前記短い方の垂直同期パルス周期は一定あるいはばらつきの少ないものとなる。これにより、前記短い方の垂直同期パルス周期に応じて、タイミングパルス発生回路１５により生成されるＡＧＣタイミングパルスも一定あるいはばらつきの少ないものとなる。したがって、ＡＧＣタイミングパルスに応じて、ＡＧＣ回路１６により生成される利得制御信号も一定あるいはばらつきの少ないものとなるため、垂直のこぎり波発生回路１４により生成される垂直のこぎり波の傾きも一定あるいはばらつきの少ないものとなる。
【００４８】
一方、垂直同期パルス周期が所定の設定範囲内から外れている場合には、従来のシステムと同様の動作を行う。すなわち、入力された現在の垂直同期パルス周期に合わせてＡＧＣタイミングパルス、利得制御信号を生成する。さらに、垂直同期パルス周期及び利得制御信号に応じて垂直のこぎり波を生成し出力する。
【００４９】
垂直同期パルス周期が設定範囲内のときは、標準的な周期を期待できるので、その周期を対象にして動作させることで、垂直のこぎり波の傾きを一定にしているが、垂直同期パルス周期が設定範囲外のときは、標準的な周期を期待できないため、垂直同期パルス周期が設定範囲内のときと同様な動作をさせてしまうと、標準的ではない周期が短い周期であると認識して誤動作を起こす可能性がある。そのために、垂直同期パルス周期が設定範囲外のときは、垂直同期パルス周期保持回路１２と垂直同期パルス周期比較回路１３は動作させず、従来のシステムと同様の動作をさせる。
【００５０】
図８は、前記第４の実施形態の垂直のこぎり波振幅調整装置の動作を示すタイミングチャートであり、周期Ａ、Ｂ、Ｃ、Ｄを持つ垂直同期パルスが設定範囲内にあり、周期Ｅ、Ｆを持つ垂直同期パルスが設定範囲外にある場合を示している。このような場合、垂直同期パルス周期Ａ、Ｂ、Ｃ、Ｄでは、１つ前と現在の垂直同期パルス周期が比較され、短い方の垂直同期パルス周期が選択される。そして、選択された短い方の垂直同期パルス周期に合わせてＡＧＣタイミングパルス、利得制御信号が生成されるため、垂直のこぎり波の傾きを、一定あるいはばらつきの少ない状態に制御することができる。一方、垂直同期パルス周期Ｅ、Ｆでは、垂直同期パルスは標準的な周期を期待できない信号であるので、従来のシステムと同様の動作をさせる。
【００５１】
以上説明したようにこの第４の実施形態では、垂直同期パルス周期が所定の設定範囲内に入っている否かを検出することにより、垂直同期パルス周期が設定範囲内に入っている場合には前記第２の実施形態と同様の動作を実行し、垂直同期パルス周期が設定範囲外である場合には入力された現在の垂直同期パルス周期に基づいて垂直のこぎり波を生成する。これにより、標準的な周期を期待できないときに、従来のシステムと同様の動作をさせることによって、誤動作を防止する。
【００５２】
［第５の実施形態］
次に、この発明の第５の実施形態の垂直のこぎり波振幅調整装置について説明する。この第５の実施形態は、図５に示した第３の実施形態において、垂直カウントダウン回路１１と垂直同期パルス周期比較回路１３との間に、設定範囲検出回路１７を追加したものである。前記第３の実施形態における構成と同様な部分には同じ符号を付してその説明は省略し、以下に、異なる構成部分のみを説明する。
【００５３】
図９は、第５の実施形態の垂直のこぎり波振幅調整装置の構成を示すブロック図である
図９に示すように、垂直カウントダウン回路１１の出力部は、設定範囲検出回路１７の入力部と垂直のこぎり波発生回路１４の第１入力部にそれぞれ接続されている。設定範囲検出回路１７の第１出力部は、垂直同期パルス周期比較回路１３の入力部に接続されている。さらに、設定範囲検出回路１７の第２出力部は、タイミングパルス発生回路１５に接続されている。その他の接続は、前記第３の実施形態と同様である。
【００５４】
次に、前記第５の実施形態の垂直のこぎり波振幅調整装置の動作について説明する。まず、テレビ信号の１つである垂直同期信号が垂直カウントダウン回路１１に入力される。すると、垂直カウントダウン回路１１は、垂直同期信号を波形整形した垂直同期パルスとこの垂直同期パルスの周期を、設定範囲検出回路１７と垂直のこぎり波発生回路１４にそれぞれ出力する。設定範囲検出回路１７は、入力された垂直同期パルス周期が所定の設定範囲内に入っているか、あるいは外れているかを検出する。
【００５５】
ここで、前記設定範囲検出回路１７は、垂直同期パルス周期が所定の設定範囲内に入っている場合には、垂直同期パルス周期を、垂直同期パルス周期比較回路１３に出力する。垂直同期パルス周期比較回路１３は、垂直同期パルス周期保持回路１２に保持されていた前回の垂直同期パルス周期（または初期値）と、設定範囲検出回路１７から出力された今回の垂直同期パルス周期とを比較して、短い方の垂直同期パルス周期を垂直同期パルス周期保持回路１２に出力する。垂直同期パルス周期保持回路１２は、入力された短い方の垂直同期パルス周期を保持すると共に、タイミングパルス発生回路１５に出力する。タイミングパルス発生回路１５は、前記短い方の垂直同期パルス周期に応じて、ＡＧＣタイミングパルスを発生する。その後の動作は、前述した第３の実施形態と同様である。
【００５６】
一方、垂直同期パルス周期が所定の設定範囲内から外れている場合は、垂直同期パルス周期をタイミングパルス発生回路１５に出力する。タイミングパルス発生回路１５は、入力された垂直同期パルス周期に応じて、ＡＧＣタイミングパルスを発生する。その後の動作は、前述した第３の実施形態と同様である。
【００５７】
前記構成を有する装置では、垂直カウントダウン回路１１に入力される垂直同期信号を波形整形した垂直同期パルス周期が、所定の設定範囲内に入っている場合には、垂直同期パルス周期比較回路１３から出力される前記短い方の垂直同期パルス周期は一定あるいはばらつきの少ないものとなる。これにより、前記短い方の垂直同期パルス周期に応じて、タイミングパルス発生回路１５により生成されるＡＧＣタイミングパルスも一定あるいはばらつきの少ないものとなる。したがって、ＡＧＣタイミングパルスに応じて、ＡＧＣ回路１６により生成される利得制御信号も一定あるいはばらつきの少ないものとなるため、垂直のこぎり波発生回路１４により生成される垂直のこぎり波の傾きも一定あるいはばらつきの少ないものとなる。
【００５８】
一方、垂直同期パルス周期が所定の設定範囲内から外れている場合には、従来のシステムと同様の動作を行う。すなわち、入力された現在の垂直同期パルス周期に合わせてＡＧＣタイミングパルス、利得制御信号を生成する。さらに、垂直同期パルス周期及び利得制御信号に応じて垂直のこぎり波を生成し出力する。
【００５９】
垂直同期パルス周期が設定範囲内のときは、標準的な周期を期待できるので、その周期を対象にして動作させることで、垂直のこぎり波の傾きを一定にしているが、垂直同期パルス周期が設定範囲外のときは、標準的な周期を期待できないため、垂直同期パルス周期が設定範囲内のときと同様な動作をさせてしまうと、標準的ではない周期が短い周期であると認識して誤動作を起こす可能性がある。そのために、垂直同期パルス周期が設定範囲外のときは、垂直同期パルス周期保持回路１２と垂直同期パルス周期比較回路１３は動作させず、従来のシステムと同様の動作をさせる。
【００６０】
図１０は、前記第５の実施形態の垂直のこぎり波振幅調整装置の動作を示すタイミングチャートであり、周期Ａ、Ｂ、Ｅ、Ｆを持つ垂直同期パルスが設定範囲内にあり、周期Ｃ、Ｄを持つ垂直同期パルスが設定範囲外にある場合を示している。このような場合、垂直同期パルス周期Ａ、Ｂでは、垂直同期パルス周期Ａと垂直同期パルス周期Ｂとが比較され、短い方の垂直同期パルス周期Ａが選択される。そして、選択された短い方の垂直同期パルス周期Ａに合わせてＡＧＣタイミングパルス、利得制御信号が生成されるため、垂直のこぎり波の傾きを一定に制御することができる。また、垂直同期パルス周期Ｃ、Ｄでは、垂直同期パルスは標準的な周期を期待できない信号であるので、従来のシステムと同様の動作をさせる。また、垂直同期パルス周期Ｅでは、前回までで最も短い方の垂直同期パルス周期Ａと垂直同期パルス周期Ｅとが比較され、短い方の垂直同期パルス周期Ｅが選択される。そして、選択された短い方の垂直同期パルス周期Ｅに合わせてＡＧＣタイミングパルス、利得制御信号が生成されるため、垂直のこぎり波の傾きをばらつきの少ない状態に制御することができる。さらに、垂直同期パルス周期Ｆでは、前回までで最も短い方の垂直同期パルス周期Ｅと垂直同期パルス周期Ｆとが比較され、短い方の垂直同期パルス周期Ｅが選択される。そして、選択された短い方の垂直同期パルス周期Ｅに合わせてＡＧＣタイミングパルス、利得制御信号が生成されるため、垂直のこぎり波の傾きを一定に制御することができる。
【００６１】
以上説明したようにこの第５の実施形態では、垂直同期パルス周期が所定の設定範囲内に入っている否かを検出することにより、垂直同期パルス周期が設定範囲内に入っている場合には前記第３の実施形態と同様の動作を実行し、垂直同期パルス周期が設定範囲外である場合には入力された現在の垂直同期パルス周期に基づいて垂直のこぎり波を生成する。これにより、標準的な周期を期待できないときに、従来のシステムと同様の動作をさせることによって、誤動作を防止する。
【００６２】
また、前述した各実施形態はそれぞれ、単独で実施できるばかりでなく、適宜組み合わせて実施することも可能である。
【００６３】
さらに、前述した各実施形態には種々の段階の発明が含まれており、各実施形態において開示した複数の構成要件の適宜な組み合わせにより、種々の段階の発明を抽出することも可能である。
【図面の簡単な説明】
【００６４】
【図１】この発明の第１の実施形態の垂直のこぎり波振幅調整装置の概要を示すブロック図である。
【図２】前記第１の実施形態の垂直のこぎり波振幅調整装置の動作を示すタイミングチャートである。
【図３】この発明の第２の実施形態の垂直のこぎり波振幅調整装置の構成を示すブロック図である。
【図４】前記第２の実施形態の垂直のこぎり波振幅調整装置の動作を示すタイミングチャートである。
【図５】この発明の第３の実施形態の垂直のこぎり波振幅調整装置の構成を示すブロック図である。
【図６】前記第３の実施形態の垂直のこぎり波振幅調整装置の動作を示すタイミングチャートである。
【図７】この発明の第４の実施形態の垂直のこぎり波振幅調整装置の構成を示すブロック図である。
【図８】前記第４の実施形態の垂直のこぎり波振幅調整装置の動作を示すタイミングチャートである。
【図９】この発明の第５の実施形態の垂直のこぎり波振幅調整装置の構成を示すブロック図である。
【図１０】前記第５の実施形態の垂直のこぎり波振幅調整装置の動作を示すタイミングチャートである。
【図１１】従来の垂直のこぎり波振幅調整装置の構成を示すブロック図である。
【図１２】従来の前記垂直のこぎり波振幅調整装置の動作例を示すタイミングチャートである。
【図１３】従来の前記垂直のこぎり波振幅調整装置の他の動作例を示すタイミングチャートである。
【符号の説明】
【００６５】
１…垂直カウントダウン回路、２…垂直同期パルス周期保持及び比較回路、３…垂直のこぎり波発生回路、４…タイミングパルス発生回路、５…自動利得制御（ＡＧＣ）回路、１１…垂直カウントダウン回路、１２…垂直同期パルス周期保持回路、１３…垂直同期パルス周期比較回路、１４…垂直のこぎり波発生回路、１５…タイミングパルス発生回路、１６…自動利得制御（ＡＧＣ）回路、１７…設定範囲検出回路。
【図１】
2005051719.tif 000003
【図２】
2005051719.tif 000004
【図３】
2005051719.tif 000005
【図４】
2005051719.tif 000006
【図５】
2005051719.tif 000007
【図６】
2005051719.tif 000008
【図７】
2005051719.tif 000009
【図８】
2005051719.tif 000010
【図９】
2005051719.tif 000011
【図１０】
2005051719.tif 000012
【図１１】
2005051719.tif 000013
【図１２】
2005051719.tif 000014
【図１３】
2005051719.tif 000015